(57)【要約】【課題】  プリント回路基板が装置に実装されて正常に動作する場合でも、プリント回路基板が単体で存在する場合、あるいはプリント回路基板または装置が正常に動作しない場合でも、プリント回路基板に関するインベントリ情報の読み書きが可能な、プリント回路基板に関するインベントリ情報の管理システムを提供する。【解決手段】  接触型インタフェース、非接触型インタフェース、およびインベントリ情報を格納する格納手段を有する無線ＩＤタグをプリント回路基板に設け、接触型インタフェースを介してプリント回路基板が実装される装置によって、または、非接触型インタフェースを介して非接触通信手段によって、インベントリ情報の読み書きを行う。【選択図】      図２
2006133927.tif 000002
【特許請求の範囲】
【請求項１】
装置に実装されるプリント回路基板に関するインベントリ情報の管理システムであって、
接触型インタフェースと、非接触型インタフェースと、プリント回路基板に関するインベントリ情報を格納する格納手段とを有する無線ＩＤタグが設けられた、プリント回路基板と、
プリント回路基板が実装されるとともに、前記接触型インタフェースを介して無線ＩＤタグと通信できる装置と、
前記非接触型インタフェースを介して無線ＩＤタグと通信できる非接触通信手段とを備え、
プリント回路基板が装置に実装され、かつプリント回路基板および装置が正常に動作する場合には、装置が、接触型インタフェースを介して無線ＩＤタグと通信して、無線ＩＤタグの格納手段に格納されたプリント回路基板に関するインベントリ情報の読取り、あるいはインベントリ情報の書き込みを行い、
プリント回路基板が装置に実装されていない場合、あるいはプリント回路基板が装置に実装されているが、プリント回路基板もしくは装置が正常に動作しない場合には、非接触通信手段が、非接触型インタフェースを介して無線ＩＤタグと通信して、無線ＩＤタグの格納手段に格納されたプリント回路基板に関するインベントリ情報の読取り、あるいはインベントリ情報の書き込みを行うことを特徴とする管理システム。
【請求項２】
プリント回路基板が装置に実装され、かつプリント回路基板および装置が正常に動作する場合には、プリント回路基板が装置に実装されたときに、装置が、プリント回路基板が実装されている実際の実装位置に関する情報を、接触型インタフェースを介して無線ＩＤタグの格納手段に書き込むことを特徴とする、請求項１に記載の管理システム。
【請求項３】
無線ＩＤタグの格納手段に格納されるインベントリ情報が、プリント回路基板の製造年月日、製造番号、図番、版数、名称、実装年月日、最終保守日、および実際の実装位置の少なくとも１つを含むことを特徴とする、請求項２に記載の管理システム。
【発明の詳細な説明】
【技術分野】
【０００１】
本発明は、装置に実装されるボードすなわちプリント回路基板に関するインベントリ情報を管理する管理システムに関する。
【背景技術】
【０００２】
ルータ、通信制御装置、またはプラント制御装置などの規模の大きい装置は、複数のプリント回路基板を備える。これら複数のプリント回路基板は、通常、シェルフ（棚）に収容され、このような複数のシェルフ自体も、フレーム（架）に収容される。
【０００３】
図１に、このような装置３０の一例を示す。図１に示される装置３０は、フレーム１および２を備える。フレーム１は、複数のシェルフ１１、１２、および１３を備え、またフレーム２は、複数のシェルフ２１、２２、および２３を備える。シェルフ１１は、プリント回路基板が実装される複数のスロット１１１〜１１９を備える。同様に、シェルフ１２〜２３も、プリント回路基板が実装される複数のスロットをそれぞれ備える。
【０００４】
これらのプリント回路基板は、それぞれのプリント回路基板に関するインベントリ情報を有する。このインベントリ情報には、例えば、そのプリント回路基板の製造年月日、製造番号、図番、版数、名称、実装年月日、最終保守日、または装置において実際に実装されている位置である実際の実装位置などが含まれる。実装位置に関しては、例えば、図１に斜線で示されるプリント回路基板の実装位置は、フレーム１のシェルフ１２のスロット１２２を表す（１、１２、１２２）である。このようなインベントリ情報は、プリント回路基板を在庫管理する際、プリント回路基板を装置へ実装する際、プリント回路基板を保守交換する際、またはプリント回路基板を修理する際などに参照され、あるいは確認されていた。
【０００５】
従来、これらのインベントリ情報は、プリント回路基板に搭載される内部メモリにそれぞれ書き込まれるか、または、手書きあるいはバーコードなどによってシールに表記して、そのシールがプリント回路基板の表面に貼られていた。
【発明の開示】
【発明が解決しようとする課題】
【０００６】
プリント回路基板に搭載される内部メモリにインベントリ情報が書き込まれている場合には、プリント回路基板が正常に動作していない場合、例えばそのプリント回路基板が故障しているときには、内部メモリに格納されたインベントリ情報を読取ることも、あるいはインベントリ情報を内部メモリに書き込むこともできなかった。すなわち、プリント回路基板が正常に動作しないときに、そのプリント回路基板の製造年月日、製造番号、図番、版数、名称、実装年月日、最終保守日、または実装位置などのインベントリ情報を内部メモリから読み出してかつ確認して、このような事態に対応することができない問題があった。
【０００７】
さらに、プリント回路基板が実装される装置自体が、正常に動作しない場合には、仮に、プリント回路基板が正常に動作するときでも、プリント回路基板に搭載される内部メモリに書き込まれているインベントリ情報を、装置を介して読み出すことができない問題があった。さらに、プリント回路基板が装置に実装されていない状態、例えば在庫中または流通中の状態であり、プリント回路基板が単体で存在して電源が供給されない状態では、プリント回路基板に搭載されている内部メモリに書き込まれているインベントリ情報を読み書きするために、特定の装置が必要になるという問題もあった。
【０００８】
手書きまたはバーコードなどによってインベントリ情報を表記したシールをプリント回路基板に貼る場合には、シールに表記されたインベントリ情報を、装置側では読み書きすることができない、すなわち管理することができないという問題があった。
【０００９】
このような問題を解決するために、インベントリ情報のために内部メモリとシールとを併用して、すなわち、プリント回路基板および装置が正常に動作している場合には、プリント回路基板に搭載される内部メモリに格納されるインベントリ情報を用い、一方、プリント回路基板または装置が正常に動作しない場合、あるいはプリント回路基板が単体で存在する場合には、プリント回路基板に貼られたシールに表記されたインベントリ情報を用いるという方法では、内部メモリに格納されるインベントリ情報と、シールに表記されるインベントリ情報とが一致するように管理する必要があり、このような管理方法の実現は難しいものであった。
【００１０】
本発明は、プリント回路基板が装置に実装され、かつプリント回路基板および装置が正常に動作している場合でも、プリント回路基板が装置に実装されていない場合、あるいはプリント回路基板が装置に実装されているが、プリント回路基板または装置が正常に動作しない場合でも、プリント回路基板に関するインベントリ情報の読み書きが可能な、プリント回路基板に関するインベントリ情報の管理システムを提供するものである。
【課題を解決するための手段】
【００１１】
請求項１に係る発明によれば、装置に実装されるプリント回路基板に関するインベントリ情報の管理システムであって、
接触型インタフェースと、非接触型インタフェースと、プリント回路基板に関するインベントリ情報を格納する格納手段とを有する無線ＩＤタグが設けられた、プリント回路基板と、
プリント回路基板が実装されるとともに、接触型インタフェースを介して無線ＩＤタグと通信できる装置と、
非接触型インタフェースを介して無線ＩＤタグと通信できる非接触通信手段とを備え、
プリント回路基板が装置に実装され、かつプリント回路基板および装置が正常に動作する場合には、装置が、接触型インタフェースを介して無線ＩＤタグと通信して、無線ＩＤタグの格納手段に格納されたプリント回路基板に関するインベントリ情報の読取り、あるいはインベントリ情報の書き込みを行い、
プリント回路基板が装置に実装されていない場合、あるいはプリント回路基板が装置に実装されているが、プリント回路基板もしくは装置が正常に動作しない場合には、非接触通信手段が、非接触型インタフェースを介して無線ＩＤタグと通信して、無線ＩＤタグの格納手段に格納されたプリント回路基板に関するインベントリ情報の読取り、あるいはインベントリ情報の書き込みを行うことを特徴とする。
【００１２】
このような構成を有することによって、プリント回路基板が装置に実装され、かつプリント回路基板および装置が正常に動作している場合には、装置によって、接触型インタフェースを介して、無線ＩＤタグの格納手段に格納されたプリント回路基板に関するインベントリ情報の読取り、あるいはインベントリ情報の書き込みを行うことができる。さらに、プリント回路基板が装置に実装されていない場合、あるいはプリント回路基板が装置に実装されているが、プリント回路基板または装置が正常に動作しない場合には、非接触通信手段によって、非接触型インタフェースを介して無線ＩＤタグの格納手段に格納されたプリント回路基板に関するインベントリ情報の読取り、あるいはインベントリ情報の書き込みを行うことができる。
【００１３】
請求項２に係る発明によれば、プリント回路基板が装置に実装され、かつプリント回路基板および装置が正常に動作する場合には、プリント回路基板が装置に実装されたときに、装置が、プリント回路基板が実装されている実際の実装位置に関する情報を、接触型インタフェースを介して無線ＩＤタグの格納手段に書き込むことを特徴とする。
【００１４】
このような構成を有することによって、プリント回路基板が装置に実装され、かつプリント回路基板および装置が正常動作する場合には、プリント回路基板が装置に実装されたときに、自動的に、プリント回路基板の実際の実装位置が、無線ＩＤタグの格納手段にインベントリ情報の１つとして書き込まれる。そのため、プリント回路基板の実際の実装位置に関する情報を、無線ＩＤタグの格納手段から容易に読み出して、予定されている実装予定位置と一致しているかなどを確認することができる。
【００１５】
請求項３に係る発明によれば、無線ＩＤタグの格納手段に格納されるインベントリ情報が、プリント回路基板の製造年月日、製造番号、図番、版数、名称、実装年月日、最終保守日、および実際の実装位置の少なくとも１つを含むことを特徴とする。
【００１６】
このような構成を有することによって、プリント回路基板を在庫管理する際、プリント回路基板を装置へ実装する際、プリント回路基板を保守交換する際、またはプリント回路基板を修理する際などに、必要なプリント回路基板のインベントリ情報を容易に確認しかつ管理することができる。
【発明を実施するための最良の形態】
【００１７】
図２に、本発明のプリント回路基板に関するインベントリ情報の管理システムの概略図を示す。
【００１８】
図１に示される装置と同様に、装置３０は、フレーム１および２を備える。フレーム１は、複数のシェルフ１１、１２、および１３を備え、またフレーム２は、複数のシェルフ２１、２２、および２３を備える。シェルフ１２は、プリント回路基板が実装される複数のスロット１２１〜１２９を備える。他のシェルフ１１、１３、２１、２２、および２３に関しても、同様にプリント回路基板が実装される複数のスロットをそれぞれ備える。なお、図面を明瞭にするために、シェルフ１２および２２だけにスロットを示した。
【００１９】
図２において斜線で示されている、フレーム１のシェルフ１２のスロット１２２に実装されたプリント回路基板４０が、図２の下の部分に示されている。
【００２０】
このプリント回路基板４０には、無線ＩＤタグ４１が設けられる。無線ＩＤタグ４１は、接触型インタフェース４２と、非接触型インタフェース４３と、格納手段４４とを有する。なお、無線ＩＤタグ４１は、リーダライタ（アンテナおよびコントローラを備える）と、情報を電子回路に記憶可能なＩＤタグとで構成され、無線通信によりデータを送受信することができるとともに、接触型の接続部を介してデータを送受信することもできるものである。
【００２１】
接触型インタフェース４２は、タグインタフェースユニット４５に接続される。このタグインタフェースユニット４５は、装置コントロール部５１とのリンク４６を介して、バックパネル４７に接続される。このバックパネル４７は、フレーム１のシェルフ１３のスロット１３９に実装された装置コントロール部５１に接続される。この装置コントロール部５１は、装置３０の操作端末装置５０に接続される。このように、無線ＩＤタグ４１は、接触型インタフェース４２、タグインタフェースユニット４５、装置コントロール部５１とのリンク４６、バックパネル４７、および装置コントロール部５１を介して、装置３０の操作端末装置５０と通信することができる。
【００２２】
また、無線ＩＤタグ４１は、非接触型インタフェース４３を介して、非接触通信手段６０と通信することができる。
【００２３】
無線ＩＤタグ４２が有する格納手段４４は、この無線ＩＤタグ４２が設けられるプリント回路基板４０に関するインベントリ情報を格納する。
【００２４】
図３に、無線ＩＤタグ４２の格納手段４４に格納されるインベントリ情報の一例を示す。図３に示されるインベントリ情報には、プリント回路基板４０の製造年月日（２００３／０１／１０）、製造番号（０００００２０２）、図番（３ＢＫ２５７４４ＡＡＡＫ）、版数（０２）、ハード名称（Ｕ−ＣＯＭ）、初回設置日（２００４／０２／０８）、最終保守日（２００４／０６／２８）、および実際の実装位置（１、１２、１２２）が含まれる。
【００２５】
次に、プリント回路基板４０に関するインベントリ情報を無線ＩＤタグ４１の格納手段４４から読取る方法、およびインベントリ情報を無線ＩＤタグ４１の格納手段４４に書き込む方法について、以下に記載する。
【００２６】
プリント回路基板４０が装置３０に実装され、かつプリント回路基板４０および装置３０が正常に動作する場合には、接触型インタフェース４２を介して、装置３０の操作端末装置５０が、無線ＩＤタグ４１の格納手段４４に格納されたプリント回路基板４０に関するインベントリ情報を読取り、あるいは無線ＩＤタグ４１の格納手段４４にプリント回路基板４０に関するインベントリ情報を書き込む。
【００２７】
すなわち、プリント回路基板４０に関するインベントリ情報を無線ＩＤタグ４１の格納手段４４から読取るときには、装置３０の操作端末装置５０が、装置コントロール部５１、バックパネル４７、装置コントロール部５１とのリンク４６、タグインタフェースユニット４５、および接触型インタフェース４２を介して、プリント回路基板４０に設けられた無線ＩＤタグ４１が有する格納手段４４から格納されたインベントリ情報を読取ることができる。一方、プリント回路基板４０に関するインベントリ情報を無線ＩＤタグ４１の格納手段４４に書き込むときには、装置３０の操作端末装置５０が、装置コントロール部５１、バックパネル４７、装置コントロール部５１とのリンク４６、タグインタフェースユニット４５、および接触型インタフェース４２を介して、プリント回路基板４０に設けられた無線ＩＤタグ４１が有する格納手段４４に、インベントリ情報を書き込むことができる。
【００２８】
また、プリント回路基板４０が装置３０に実装されたとき、プリント回路基板４０のＣＰＵ４８は、インベントリ情報の１つとしてプリント回路基板４０の実際の実装位置を、バックパネル４７からリンク４６を通して読み出し、タグインタフェースユニット４５、および接触型インタフェース４２を介して、プリント回路基板４０に設けられた無線ＩＤタグ４１が有する格納手段４４に自動的に書き込むことができる。バックパネル４７は、スロット毎に実装位置を識別する回路４９を持つ。
【００２９】
また、プリント回路基板４０が装置３０に実装されていない場合、すなわちプリント回路基板４０が単体で存在している場合、あるいはプリント回路基板４０が装置３０に実装されているが、プリント回路基板４０もしくは装置３０が正常に動作しない場合には、非接触型インタフェース４３を介して、非接触通信手段６０が、プリント回路基板４０に関するインベントリ情報を無線ＩＤタグ４１の格納手段４４から読取る、またはプリント回路基板４０に関するインベントリ情報を無線ＩＤタグ４１の格納手段４４に書き込むことができる。
【００３０】
このように、本発明のプリント回路基板に関するインベントリ情報の管理システムは、プリント回路基板が装置に実装され、かつプリント回路基板および装置が正常に動作している場合でも、プリント回路基板が装置に実装されていない場合、あるいはプリント回路基板が装置に実装されているが、プリント回路基板または装置が正常に動作しない場合でも、プリント回路基板のインベントリ情報の読み書きを可能とするものである。そのため、プリント回路基板を在庫管理する際、プリント回路基板を装置へ実装する際、プリント回路基板を保守交換する際、またはプリント回路基板を修理する際などに、プリント回路基板のインベントリ情報を、容易に参照しまたは確認することができるものである。
【図面の簡単な説明】
【００３１】
【図１】複数のプリント回路基板を含む装置を示す。
【図２】本発明のプリント回路基板に関するインベントリ情報の管理システムの概略を示す。
【図３】プリント回路基板に関するインベントリ情報の一例を示す。
【符号の説明】
【００３２】
１、２  フレーム
１１〜２３  シェルフ
３０  装置
４０  プリント回路基板
４１  無線ＩＤタグ
４２  接触型インタフェース
４３  非接触型インタフェース
４４  格納手段
４５  タグインタフェースユニット
４６  リンク
４７  バックパネル
４８  ボード内ＣＰＵ
４９  実装位置識別回路
５０  操作端末装置
５１  装置コントロール部
６０  非接触通信手段
１１１〜２３９  スロット
【図１】
2006133927.tif 000003
【図２】
2006133927.tif 000004
【図３】
2006133927.tif 000005